(57)【要約】【課題】電力変換回路部と中継配線との相互の電磁ノイズ干渉を抑制することができる安価な電力変換装置を提供する。【解決手段】第１、第２のケース１０１、１０２の内部に導電性部材により形成された隔壁１２２を設け、該隔壁１２２により、第１、第２のケース１０１、１０２の一方に設けられた第１コネクタ２００と第２コネクタ２１０を接続する第２配線３０２が配設される第２配線収納空間ＳBが、電力変換回路部が収納される電力変換回路部収納空間ＳAから分離されている。【選択図】図４
2018007302.tif 000002
【特許請求の範囲】
【請求項１】
第１ケースと、
前記第１ケースに組付けられる第２ケースと、
前記第１ケースおよび前記第２ケースの少なくとも一方に設けられた第１コネクタと、
前記第１ケースおよび前記第２ケースの少なくとも一方に設けられた第２コネクタと、
電力変換回路部と、
前記第１コネクタおよび前記第２コネクタの少なくとも一方と前記電力変換回路部とを接続する第１配線と、
前記第１コネクタと前記第２コネクタとを電気的に接続する第２配線と、
前記第１ケースおよび前記第２ケースの少なくとも一方の内部に設けられ、導電性部材により形成された隔壁とを備え、
前記第１ケースおよび前記第２ケースの少なくとも一方に前記電力変換回路部が収納される電力変換回路部収納空間が設けられ、
前記第１ケースおよび前記第２ケースの少なくとも一方の側部と前記隔壁との間に、前記電力変換回路部収納空間から分離され、前記第２配線が配設された第２配線収納空間が形成されている電力変換装置。
【請求項２】
請求項１に記載の電力変換装置において、
前記側部は、前記第１ケースおよび前記第２ケースの一方に形成された外周側壁であり、前記隔壁は、前記外周側壁の内側に配置されている電力変換装置。
【請求項３】
請求項１に記載の電力変換装置において、
前記隔壁は、前記第１ケースと前記第２ケースとが対向する境界部に形成された底部または天井部である、電力変換装置。
【請求項４】
請求項１に記載の電力変換装置において、
さらに、前記電力変換回路部を制御する制御回路部を備え、
前記隔壁は、前記第１ケースまたは前記第２ケースとは別部材である基板支持部材により形成され、
前記基板支持部材は、前記制御回路部の収納空間と前記電力変換回路部の収納空間とを分離する分離部を有する電力変換装置。
【発明の詳細な説明】
【技術分野】
【０００１】
本発明は、電力変換装置に関する。
【背景技術】
【０００２】
ハイブリッド車やプラグインハイブリッド車、電気自動車等の車両には、インバータ、ＤＣ−ＤＣコンバータ等の電力変換装置が搭載される。インバータは、高電圧蓄電池の直流高電圧を交流高電圧に電力変換してモータを駆動する。ＤＣ−ＤＣコンバータは、高電圧蓄電池の直流高電圧を直流低電圧に電力変換して車両のライトやＴＶ等の定電圧負荷へ電力を供給する。車両に搭載されるエアコンや、パワーステアリング等に供給する電力を、電力変換装置の入出力コネクタを利用して中継することがある。このような中継配線を渡り配線ともいう。この場合、電力変換装置内部のスイッチング素子が発生するノイズが中継配線に混入したり、中継配線が発生する電磁ノイズが電力変換装置内部の回路素子に干渉したりする可能性がある。
【０００３】
高周波スイッチング動作が周辺のエレクトロニクス機器に及ぼすノイズ障害対策として、従来、動力線に電磁遮蔽を施す方法が知られている。電磁遮蔽は、金属管、金属撚り線、アルミ箔等で構成されており、動力線の周囲を覆うように配置することにより、高周波ノイズ分が外部に放射することを抑制する（例えば、特許文献１参照）。
【先行技術文献】
【特許文献】
【０００４】
【特許文献１】特開２００６―３３９６８号公報
【発明の概要】
【発明が解決しようとする課題】
【０００５】
動力線に電磁遮蔽を施す方法では、高価となる。特に、中継配線では、その長さが長くなることがあり、コストの増大が大きい。
【課題を解決するための手段】
【０００６】
本発明の一態様によると、電力変換装置は、第１ケースと、前記第１ケースに組付けられる第２ケースと、前記第１ケースおよび前記第２ケースの少なくとも一方に設けられた第１コネクタと、前記第１ケースおよび前記第２ケースの少なくとも一方に設けられた第２コネクタと、電力変換回路部と、前記第１コネクタおよび前記第２コネクタの少なくとも一方と前記電力変換回路部とを接続する第１配線と、前記第１コネクタと前記第２コネクタとを電気的に接続する第２配線と、前記第１ケースおよび前記第２ケースの少なくとも一方の内部に設けられ、導電性部材により形成された隔壁とを備え、前記第１ケースおよび前記第２ケースの少なくとも一方に前記電力変換回路部が収納される電力変換回路部収納空間が設けられ、前記第１ケースおよび前記第２ケースの少なくとも一方の側部と前記隔壁との間に、前記電力変換回路部収納空間から分離され、前記第２配線が配設された第２配線収納空間が形成されている。
【発明の効果】
【０００７】
本発明によれば、安価な構造により、電力変換回路部と中継配線との相互の電磁ノイズ干渉を抑制することができる。
【図面の簡単な説明】
【０００８】
【図１】本発明の電力変換装置の第１の実施形態を示し、上ケースを開いた状態の斜視図。
【図２】図１に図示された電力変換装置を上方から観た平面図。
【図３】図１に図示された電力変換装置を側方から観た側面図。
【図４】（Ａ）は図１の面ＩＶAで切断した斜視図、（Ｂ）は、（Ａ）の領域ＩＶBの拡断面図。
【図５】（Ａ）は、図４（Ａ）の一部拡大斜視図、（Ｂ）は、図２のＶB−ＶB線断面図。
【図６】図２における隔壁を判り易くした平面図。
【図７】本発明の第２の実施形態の平面図。
【図８】図７の側面図。
【図９】図７における隔壁を判り易くした平面図。
【図１０】本発明の第３の実施形態の分解斜視図。
【図１１】図１０に図示された電力変換装置の上ケースを取り除いた状態を上方から観た平面図。
【図１２】図１０に図示された電力変換装置を側方から観た側面図。
【図１３】図１２の中間ケースを下方から観た下面図。
【図１４】図１１の面ＸＩＶで切断した斜視図。
【図１５】図１４の一部拡大斜視図。
【図１６】図１５に図示された下部ケースの一部を示す拡大図。
【図１７】図１１のＸＶＩＩ−ＸＶＩＩ線断面図。
【図１８】本発明の第４の実施形態の分解斜視図。
【図１９】図１８に図示された電力変換装置を上方から観た平面図。
【図２０】図１８に図示された電力変換装置を側方から観た側面図。
【図２１】図１８の面ＸＸＩ−ＸＸＩで切断した斜視図。
【図２２】図２１の一部拡大斜視図。
【図２３】第４の実施形態の模式的平面図。
【図２４】図２３のＸＸＩＶ−ＸＸＩＶ線で切断した模式的断面図。
【発明を実施するための形態】
【０００９】
−第１の実施形態−
以下、図１〜図６を参照して、本発明の電力変換装置の第１の実施形態を説明する。
図１は、本発明の電力変換装置の第１の実施形態を示し、上ケースを開いた状態の斜視図であり、図２は、図１に図示された電力変換装置を上方から観た平面図であり、図３は、図１に図示された電力変換装置を側方から観た側面図である。
電力変換装置１００は、下ケース１０１と、上ケース１０２と、下ケース１０１および上ケース１０２からなる筐体内に収納された電力変換回路基板１１０とを備えている。
下ケース１０１および上ケース１０２は、アルミニウム系金属、鉄系金属等の導電性材料により形成されている。下ケース１０１は、底部と、外周側壁を構成する４つの側部とを有し、上部が開口されたボックス形状を有する。上ケース１０２は、下ケース１０１の開口を塞いで、ねじ等の締結部材により下ケース１０１に固定される。上ケース１０２は、平坦な周縁部を有し、該周縁部の内側が、一段、段状に隆起した形状を有する。
【００１０】
電力変換装置１００は、例えば、ＤＣ−ＤＣコンバータであり、電力変換回路基板１１０は、図示はしないが、高電圧の直流電圧を交流高電圧に変換する高電圧回路、交流高電圧を交流低電圧に変換するトランス、低電圧の交流電圧を直流電圧に変換する低電圧回路等の電力変換回路部を有する。高電圧回路は、例えば、ＭＯＳＦＥＴ等の４つのスイッチング素子により構成されるＨブリッジを有し、低電圧回路は、例えば、ＭＯＳＦＥＴ等の複数のスイッチング素子により形成される整流相およびアクティブクランプ回路を有する。
【００１１】
下ケース１０１の一対の短辺側の一方の側部には、入出力用の第１コネクタ２００が取付けられ、他方の側部には、中継用の第２コネクタ２１０が取付けられている。第１コネクタ２００および第２コネクタ２１０は、それぞれ、下ケース１０１の側部を厚さ方向に貫通する複数の雄型のピン２０１、２１１（図２、３参照）を有している。
【００１２】
図４（Ａ）は図１の面ＩＶAで切断した斜視図であり、図４（Ｂ）は、図４（Ａ）の領域ＩＶBの拡断面図である。図５（Ａ）は、図４（Ａ）の一部拡大斜視図であり、図５（Ｂ）は、図２のＶB−ＶB線断面図である。
上ケース１０２の平坦な周縁部の下面と下ケース１０１の周側部の上面との間には、シール材１７１（図５参照）が介装されている。上ケース１０２の周縁部と下ケース１０１の側部とは、シール材１７１を介して水密に固定される。
【００１３】
なお、図４（Ａ）および図５（Ｂ）に図示されるように、下ケース１０１の底部の中央部には上方に凹んだ凹部が形成されており、この凹部が押さえ板１５１により塞がれている。押さえ板１５１には、下ケース１０１の凹部に対向して下方に凹んだ凹部が形成されており、下ケース１０１および押さえ板１５１の凹部により、冷却流路ＳCが形成されている。
【００１４】
下ケース１０１の一対の長辺側の一方の側部の上部には、溝１２１が形成されている。溝１２１は、隔壁１２２と、該隔壁１２２の外側に設けられた側壁１２３と、下面部１２４により囲まれている。すなわち、溝１２１は、下ケース１０１の側壁１２３、隔壁１２２、下面部１２４および上ケース１０２の周縁部で囲まれた空間領域を形成している。下面部１２４の下面は、下ケース１０１の高さ方向の中間位置で、外部に露出している。上述したシール材１７１は、側壁１２３の上面に対向する位置に配置されている。溝１２１は、図２に図示されるように、下ケース１０１の長辺側の一方の側部に沿って延在されている。なお、隔壁１２２、側壁１２３および下面部１２４は、ダイキャスト等により下ケース１０１に一体に形成することができる。
【００１５】
図２、図３に図示されるように、入出力用の複数の第１配線３０１は、電力変換回路基板１１０の入出力用端子と第１コネクタ２００のピン２０１とを接続している。また、中継用の複数の第２配線３０２は、電力変換回路基板１１０の中継用端子と第２コネクタ２１０のピン２１１とを接続している。第１配線３０１および第２配線３０２として、電線、フレキシブル基板に設けられた配線パターン、フラットワイヤ等の安価な線材を用いることができる。
【００１６】
図６は、図２における隔壁１２２を判り易くした平面図である。
隔壁１２２は、その一方の端部１２２ａが、下ケース１０１の第１コネクタ２００が取付けられた短辺側の一方の側部内面と間隙を開けた位置に配置されている。また、隔壁１２２の他方の端部１２２ｂは、下ケース１０１の第２コネクタ２１０が取付けられた短辺側の他方の側部内面と間隙を開けた位置に配置されている。つまり、導電性部材により形成された隔壁１２２は、電力変換回路部が収納された電力変換回路部収納空間ＳAと、第２配線３０２が配設される第２配線収納空間ＳBとを分離する。
【００１７】
第２配線３０２の一方の端部３０２ａは、隔壁１２２の一方の端部１２２ａと下ケース１０１の短辺側の一方の側部内面との間の隙間を挿通されて電力変換回路基板１１０に接続されている。同様に、第２配線３０２の他方の端部３０２ｂは、隔壁１２２の他方の端部１２２ｂと下ケース１０１の短辺側の他方の側部内面との間の隙間を挿通されて第２コネクタ２１０のピン２１１に接続されている。第２配線３０２は、一方および他方の端部３０２ａ、３０２ｂを除くほぼ全長が、隔壁１２２の外側の溝１２１内に配設されている。つまり、第２配線３０２は、ほぼ全長に亘り、電力変換回路部が収納された電力変換回路部収納空間ＳAとは隔てられた空間に配設されている。
【００１８】
上述した第１の実施形態によれば、次の作用効果が得られる。
（１）下ケース１０１の内部に導電性部材により形成された隔壁１２２を設け、該隔壁１２２により、第１コネクタ２００と第２コネクタ２１０を電気的に接続する第２配線３０２が配設される第２配線収納空間ＳBを、電力変換回路部が収納される電力変換回路部収納空間ＳAから分離するようにした。このため、電力変換回路部と第２配線との相互の電磁ノイズ干渉を抑制することができる。しかも、電磁ノイズ干渉の抑制構造は、下ケース１０１に隔壁１２２を設けるだけの簡単な構造で達成することができ、安価にすることができる。
【００１９】
−第２の実施形態−
図７〜図９を参照して、本発明の第２の実施形態を説明する。
図７は、本発明の第２の実施形態の平面図であり、図８は、図７の側面図であり、図９は、図７における隔壁を判り易くした平面図である。
第１の実施形態では、中継配線である第２配線３０２が配設された第２配線収納空間ＳBは、下ケース１０１に設けた隔壁１２２の一方および他方の端部１２２ａ、１２２ｂ側において電力変換回路部収納空間ＳAに連通された構造であった。
第２の実施形態では、第２配線３０２が配設された第２配線収納空間ＳBは、一端側および他端側において、電力変換回路部収納空間ＳAに連通されず、閉塞された構造となっている。
【００２０】
図７および図９に図示されるように、隔壁１２２の一端１２５は、第１コネクタ２００の第２配線３０２との接続部が第２配線収納空間ＳB内に配置されるように、下ケース１０１の一方の短辺に接続されている。同様に、隔壁１２２の他端１２６は、第２コネクタ２１０の第２配線３０２との接続部が第２配線収納空間ＳB内に配置されるように、下ケース１０１の他方の短辺に接続されている。また、中継配線である第２配線３０２は、その一方の端部３０２ａが電力変換回路基板１１０に接続されず、第１コネクタ２００のピン２０１から、直接、第２コネクタ２１０のピン２１１に接続されている。従って、第２配線３０２は、その全長が、第２配線収納空間ＳB内に配設されており、電力変換回路部が収納された電力変換回路部収納空間ＳAとは隔てられた空間に配設されている。
【００２１】
なお、入出力配線である第１配線３０１は、隔壁１２２の一端１２５に設けられた開口(図示せず)を挿通されて、電力変換回路基板１１０の入出力端子に接続されている。
第２の実施形態の他の構造は第１の実施形態と同様であり、対応する部材に同一の符号を付して説明を省略する。
第２の実施形態においても、第１の実施形態と同様な作用効果を得ることができる。しかも、第２の実施形態では、第２配線３０２全長が、第２配線収納空間ＳB内に配置され、隔壁１２２により電力変換回路部収納空間ＳAから分離されている構造を有するので、電力変換回路部と第２配線３０２との相互の電磁ノイズ干渉を抑制する作用として、一層、効果を得ることができる。
【００２２】
図１０〜図１７を参照して、本発明の第３実施形態を説明する。
図１０は、本発明の第３の実施形態の分解斜視図であり、図１１は、図１０に図示された電力変換装置の上ケースを取り除いた状態を上方から観た平面図であり、図１２は、図１０に図示された電力変換装置を側方から観た側面図である。
第３の実施形態では、以下に説明するように、電力変換装置１００Ａの下ケース１０１Ａは、中間ケース１０３と底ケース１０４とにより構成されており、電力変換回路部空間ＳAと第２配線収納空間ＳBとを分離する隔壁を、中間ケース１０３と底ケース１０４とが対向する境界部に設けた構造を有する。
【００２３】
図１０および図１２に図示されるように、電力変換装置１００Ａは、上ケース１０２と下ケース１０１Ａとを有し、下ケース１０１Ａは、中間ケース１０３と底ケース１０４とを有する。上ケース１０２は、第１の実施形態と同様な部材である。中間ケース１０３および底ケース１０４は、上ケース１０２と同様、アルミニウム系金属、鉄系金属等の導電性材料により形成されている。
【００２４】
図１１に図示されるように、中間ケース１０３の底部１０６には、第１コネクタ２００近傍に開口１０６ａが形成され、第２コネクタ２１０の近傍に開口１０６ｂが形成されている。
入出力用の第１配線３０１は、第１の実施形態と同様、第１コネクタ２００のピン２０１と電力変換回路基板１１０の入出力端子とを、直接、接続している。
中継配線である第２配線３０２は、その一方の端部３０２ａが電力変換装置１００の中継用端子に接続された状態で、中間ケース１０３の底部１０６に設けられた開口１０６ａに挿通され、底ケース１０４側に延在されている。また、第２配線３０２の他方の端部３０２ｂは、中間ケース１０３の底部１０６に設けられた開口１０６ｂから中間ケース１０３側に延在されて第２コネクタ２１０のピン２１１に接続されている。第３の実施形態では、中間ケース１０３の底部１０６が、電力変換回路部収納空間ＳAと第２配線収納空間ＳBとを分離する隔壁の機能を有している。
【００２５】
図１３は、図１２の中間ケースを下方から観た下面図である。図１４は、図１０の面ＸＩＶで切断した斜視図であり、図１５は、図１４の一部拡大斜視図である。図１６は、図１５に図示された下部ケースの一部を示す拡大図であり、図１７は、図１１のＸＶＩＩ−ＸＶＩＩ線断面図である。
図１３に図示されるように、中間ケース１０３の底部１０６には、底ケース１０４側に向けて突出する周側壁１４１が形成されている。周側壁１４１は、中間ケース１０３の周縁部に沿って、枠状に形成されている。周側壁１４１の一方の長辺部の内方には、該一方の長辺部に沿って延在された内側壁１４２が形成されている。内側壁１４２の両端は、それぞれ、周側壁１４１の短辺部に接続されている。中間ケース１０３に設けられた開口１０６ａ、１０６ｂは、周側壁１４１の一方の長辺部と内側壁１４２とにより囲まれた領域内に配置されている。
【００２６】
図１５および図１７に図示されるように、中間ケース１０３の底部１０６、周側壁１４１の一方の長辺部、内側壁１４２および底ケース１０４により囲まれた領域は、第２配線３０２が収納される第２配線収納空間ＳBを形成する。また、中間ケース１０３の底部１０６、周側壁１４１の一方の長辺部を除く他の辺部、内側壁１４２および底ケース１０４により囲まれた領域は、冷却流路ＳCを形成する。底ケース１０４の第２配線収納空間ＳBおよび冷却流路ＳCが形成される領域は凹状に形成されている(図１７参照)。
【００２７】
図１６に図示されるように、第２配線３０２は、第２配線収納空間ＳB内に配設される。第２配線収納空間ＳB内に配設された第２配線３０２は、上述したように、一方の端部３０２ａが、中間ケース１０３の底部１０６に設けられた開口１０６ａを挿通されて、電力変換回路基板１１０に接続されている。また、第２配線３０２の他方の端部３０２ｂは、中間ケース１０３の底部１０６に設けられた開口１０６ｂを挿通されて第２コネクタ２１０のピン２１１に接続されている。
なお、図１５および図１７に図示されるように、第２配線収納空間ＳBの両側は、シール材１７２を用いて水密構造に構成されている。
第３の実施形態における他の構成は、第１の実施形態と同様であり、対応する部材に同一の符号を付して説明を省略する。
【００２８】
第３の実施形態では、導電性部材により形成された中間ケース１０３の底部１０６により、電力変換回路基板１１０が収納された電力変換回路部収納空間ＳAと、第２配線３０２が配設された第２配線収納空間ＳBとが分離されている。このため、第３の実施形態においても、電力変換回路部と第２配線３０２との相互の電磁ノイズ干渉を抑制することができる。
【００２９】
なお、上記では、第２配線３０２は、その一方の端部３０２ａが、中間ケース１０３の底部１０６に設けられた開口１０６ａを挿通されて、電力変換回路基板１１０に接続されている構造として例示した。しかし、第２の実施形態と同様、第２配線３０２の一方の端部３０２ａは、電力変換回路基板１１０に接続せずに、直接、第１コネクタ２００のピン２０１に接続するようにしてもよい。
【００３０】
また、上記では、電力変換回路基板１１０が収納された電力変換回路部収納空間ＳAと、第２配線３０２が配設された第２配線収納空間ＳBとを、中間ケース１０３に設けた底部１０６により分離した構造として例示した。しかし、中間ケース１０３に隔壁となる天井部を設け、中間ケース１０３の天井部と上ケース１０２との間に第２配線収納空間ＳBを形成するようにしてもよい。
【００３１】
−第４の実施形態−
図１８〜図２４を参照して、本発明の第４の実施形態を説明する。
図１８は、本発明の第４の実施形態の分解斜視図であり、図１９は、図１８に図示された電力変換装置を上方から観た平面図であり、図２０は、図１８に図示された電力変換装置を側方から観た側面図である。
第４の実施形態は、筐体内に、電力変換回路部を制御する制御回路部を有し、第２配線３０２は、電力変換回路部および制御回路部のどちらに対しても相互の電磁ノイズ干渉を抑制することができるようにされているものである。
なお、以下の説明においては、第１の実施形態と相違する点を中心に説明し、第１の実施形態と同様な構成の説明は省略する。
【００３２】
電力変換装置１００Ｂは、上ケース１０２および下ケース１０１Ｂにより形成される筐体と、該筐体内に収納された電力変換回路基板１１０、制御回路基板１３０および支持部材１６０とを有する。
上ケース１０２、下ケース１０１Ｂおよび支持部材１６０は、アルミニウム系金属、鉄系金属等の導電性材料により形成されている。上ケース１０２は、第１の実施形態と同様な部材である。支持部材１６０は、制御回路基板１３０を支持する部材である。支持部材１６０は、本体部１６１と、第１の隔壁１６２と、第２の隔壁１６３とを有する。本体部１６１は、下ケース１０１Ｂに収納された電力変換回路基板１１０を露出する長さを有する。支持部材１６０の本体部１６１には、制御回路基板１３０を取付けるための複数のボス１６１ａが設けられている。
【００３３】
支持部材１６０の第１の隔壁１６２は、本体部１６１から下ケース１０１Ｂの底部側に向かって突出され、下ケース１０１Ｂの一方の長辺部に沿って、第１コネクタ２００に向かって延在されている。第１の隔壁１６２の先端と、下ケース１０１Ｂの第１コネクタ２００が取付けられた短辺側の一方の側部内面との間には隙間が形成されている。第１の実施形態と同様、第２配線３０２の一方の端部３０２ａは、この隙間を挿通されて、電力変換回路基板１１０の中継端子に接続されている。図１９に図示されるように、支持部材１６０の第１の隔壁１６２は、電力変換回路基板１１０が収容された電力変換回路部収納空間ＳAと第２配線３０２の一部が配設される第２配線収納空間ＳBの一部とを分離している。
【００３４】
支持部材１６０の第２の隔壁１６３は、本体部１６１から上ケース１０２に向かって突出して形成されている。第２の隔壁１６３は、第１〜第３の仕切り部１６３ａ〜１６３ｃを有するコ字形状に形成されている。第１の仕切り部１６３ａは、電力変換回路基板１１０との境界側に設けられている。第２の仕切り部１６３ｂは、第１の仕切り部１６３ａから下ケース１０１Ｂの一方の長辺部に沿って延在されている。第３仕の切り部１６３ｃは、第２仕切り部１６３ｂから下ケース１０１Ｂの第２コネクタ２１０が取付けられた短辺部に沿って延在されている。第３の仕切り部１６３ｃは、第２コネクタ２１０を覆うように配置されている。
一方の端部３０２ａで電力変換回路基板１１０に接続された第２配線３０２は、支持部材１６０の第２の隔壁１６３の第１〜第３の仕切り部１６３ａ〜１６３ｃと下ケース１０１Ｂの周側壁との間に配設され、第２コネクタ２１０のピン２１１に接続されている。
【００３５】
図２１は、図１８の面ＸＸＩ−ＸＸＩで切断した斜視図であり、図２２は、図２１の一部拡大斜視図である。
図１９および図２２に図示されるように、支持部材１６０の本体部１６１および第２の隔壁１６３と、下ケース１０１Ｂの外側壁および底部と、上ケース１０２により制御回路基板が収納される制御基板収納空間ＳDが形成される。
支持部材１６０の本体部１６１および第２の隔壁１６３の第２の仕切り部１６３ｂと、下ケース１０１Ｂの側部と、上ケース１０２とにより第２配線３０２の他の一部が配設される第２配線収納空間ＳBの他の一部が形成される。さらに、支持部材１６０の第２の隔壁１６３の第３の仕切り部１６３ｃと、下ケース１０１Ｂの側部と、下ケース１０１Ｂの底部と、上ケース１０２とにより第２配線３０２の他方の端部３０２ｂ側が配設される第２配線収納空間ＳBのさらに他の一部が形成される。
【００３６】
図２３は、第４の実施形態の模式的平面図であり、図２４は、図２３のＸＸＩＶ−ＸＸＩＶ線で切断した模式的断面図であり、上述した第４の実施形態の基本構造が、図２３および図２４に図示されている。
電力変換回路部収納空間ＳAと制御基板収納空間ＳDとは、支持部材１６０の第２の隔壁１６３の第１の仕切り部１６３ａにより分離されている。
第２配線収納空間ＳBと電力変換回路部収納空間ＳAとは、支持部材１６０の第１の隔壁１６２により分離されている。また、第２配線収納空間ＳBと制御基板収納空間ＳDとは、支持部材１６０の第２の隔壁１６３の第２、第３の仕切り部１６３ｂ、１６３ｃにより分離されている。つまり、第２配線収納空間ＳBは、支持部材１６０の第１、第２の隔壁１６２、１６３により、電力変換回路部収納空間ＳAおよび制御基板収納空間ＳDとは分離されている。
【００３７】
従って、第１の実施形態と同様、第２配線収納空間ＳB内に配設される第２配線３０２と電力変換回路部収納空間ＳA内に配置される電力変換回路部との相互の電磁ノイズ干渉を抑制することができるという効果を得ることができる。加えて、第２配線３０２と制御基板収納空間ＳD内に配置される制御回路基板１３０との相互の電磁ノイズ干渉、および制御回路基板１３０と電力変換回路部との相互の電磁ノイズ干渉を抑制することができる。しかも、第２配線３０２、制御回路基板１３０および電力変換回路部間の相互の電磁ノイズ干渉の抑制は、制御回路基板１３０を支持する支持部材に、第１、第２の隔壁１６２、１６３を設けるだけの簡単な構造で達成することができ、安価にすることができる。
【００３８】
なお、第４の実施形態においても、第２の実施形態と同様、第２配線３０２の一方の端部３０２ａは、電力変換回路基板１１０に接続せずに、直接、第１コネクタ２００のピン２０１に接続するようにしてもよい。
【００３９】
上記第４の実施形態において、支持部材１６０の第１の隔壁１６２を下ケース１０１Ｂに一体に形成するようにしてもよい。また、第２の隔壁１６３を上ケース１０２に一体に形成するようにしてもよい。
【００４０】
同様に、第１〜第３の実施形態において、隔壁１２２を、上ケース１０２に一体に形成してもよい。但し、その場合には、隔壁１２２の下端面は、下ケース１０１の底部内面に密着させることが好ましい。
【００４１】
上記各実施形態において、第１、第２コネクタ２００、２１０を、下ケース１０１、１０１Ａ、１０１Ｂに取付けた構造として例示した。しかし、第１、第２コネクタ２００、２１０の一方または両方を上ケース１０２に取付ける構造としてもよい。
【００４２】
上記各実施形態では、第１、第２コネクタ２００、２１０は、下ケース１０１の長手方向の両端に配置した構造として例示した。しかし、第１、第２コネクタ２００、２１０の一方または両方を、下ケース１０１または上ケース１０２の長手方向の中間部に配置してもよい。あるいは、第１、第２コネクタ２００、２１０の一方または両方を、短手方向の側部に配置することもできる。第１コネクタ２００と第２コネクタ２１０とを、下ケース１０１または上ケース１０２のコーナー部を挟む対角線上に配置することも可能である。
【００４３】
上記各実施形態では、中継配線である第２配線３０２は、全長が線材で形成されている部材とした。しかし、第２配線は、長さ方向の中間部に、ヒューズ、コイル、コンデンサ、フィルタ等の素子を有しているものであってもよい。
【００４４】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【００４５】
１００、１００Ａ、１００Ｂ      電力変換装置
１０１、１０１Ａ、１０１Ｂ      下ケース（第１ケース）
１０２      上ケース（第２ケース）
１０３      中間ケース
１０４      底ケース
１０６      底部
１１０      電力変換回路基板（電力変換回路部）
１２２      隔壁
１２３      側壁（外周側壁）
１３０      制御回路基板（制御回路部）
１６０      支持部材（基板支持部材）
１６２      第１の隔壁
１６３      第２の隔壁
１６３ａ    第１の仕切り部
１６３ｂ    第２の仕切り部
１６３ｃ    第３の仕切り部
２００      第１コネクタ
２１０      第２コネクタ
３０１      第１配線
３０２      第２配線
ＳA       電力変換回路部収納空間
ＳB       第２配線収納空間
ＳD       制御基板収納空間
【図１】
2018007302.tif 000003
【図２】
2018007302.tif 000004
【図３】
2018007302.tif 000005
【図４】
2018007302.tif 000006
【図５】
2018007302.tif 000007
【図６】
2018007302.tif 000008
【図７】
2018007302.tif 000009
【図８】
2018007302.tif 000010
【図９】
2018007302.tif 000011
【図１０】
2018007302.tif 000012
【図１１】
2018007302.tif 000013
【図１２】
2018007302.tif 000014
【図１３】
2018007302.tif 000015
【図１４】
2018007302.tif 000016
【図１５】
2018007302.tif 000017
【図１６】
2018007302.tif 000018
【図１７】
2018007302.tif 000019
【図１８】
2018007302.tif 000020
【図１９】
2018007302.tif 000021
【図２０】
2018007302.tif 000022
【図２１】
2018007302.tif 000023
【図２２】
2018007302.tif 000024
【図２３】
2018007302.tif 000025
【図２４】
2018007302.tif 000026